(57)【特許請求の範囲】
【請求項１】
映像中間周波数回路に用いられ、１つの共振子で複数の共振特性を有する共振子が設けられたトラップ回路であって、入力端子と映像中間周波数増幅回路との間で、信号源と並列に前記共振子を接続し、さらに、前記入力端子と前記映像中間周波数増幅回路との間で、前記共振子と並列に第１のインダクタを接続し、さらに、前記共振子と前記映像中間周波数増幅回路の入力端子との間に、第２のインダクタを接続し、さらに抵抗が前記インダクタと直列に接続されたことを特徴とする、トラップ回路。
【発明の詳細な説明】
【０００１】
【産業上の利用分野】
この発明はトラップ回路に関し、特にたとえば、弾性表面波共振子を用いたものであって、たとえばテレビやＶＴＲなどの映像受像機で、映像信号と音声信号の分離用、隣接妨害信号の除去用などに用いられるトラップ回路に関する。
【０００２】
【従来の技術】
図６はこの発明の背景となる従来のトラップ特性の評価を行う測定回路の一例を示す回路図であり、図７は図６に示すトラップ回路をたとえば音声多重放送用のテレビに適用した場合の周波数特性（周波数−相対振幅特性）を示すグラフである。この場合、図６に示すトラップ回路１は、たとえば映像中間周波数（映像搬送波周波数）ｆｐ  が３８．９０ＭＨｚのヨーロッパのＰＡＬ方式のテレビ用に適用され、このトラップ回路１には、ＬＣから成る複数の共振特性あるいは１つの共振特性を有する複数の圧電共振子がトラップ共振子として用いられている。
【０００３】
このトラップ回路１では、入力端子２と出力端子３との間に、抵抗４および映像中間周波数測定回路５が直列に接続されている。また、抵抗４と映像中間周波数測定回路５とグラウンドとの間には、たとえばＢＧＳ波を利用した圧電共振子からなるトラップ共振子６が接続される。このトラップ共振子６は、信号源７に対して並列に挿入される。また、出力端子３およびグラウンド間には、抵抗８が接続される。出力端子３とグラウンドとの間には、抵抗８と並列にボルトメータ９が接続されている。
【０００４】
このようなトラップ回路１においては、トラップ共振子６が共振したときにそのインピーダンスが最小となるので、その帯域の信号が減衰し、たとえば図７に示すような周波数特性（周波数−相対振幅特性）が得られる。図７中の線（Ａ）は、複数の共振特性をもつ共振子における図６のトラップ回路１の周波数特性を示している。また、図７中の線（Ｂ）は、図６のトラップ回路１において、トラップ共振子６が設けられていない場合の周波数特性を示している。さらに、図７中の線（Ｃ）および線（Ｄ）は、それぞれ、図７中に示すＸ幅の帯域において、相対振幅Ｙを１０倍に拡大したものを示している。
【０００５】
図６に示すトラップ回路１では、図７の線（Ａ）に示すように、複数の共振特性を有する１つのトラップ共振子６によって、隣接チャンネル映像搬送波周波数ｆａｐ（ｆａｐ＝３１．９０ＭＨｚ）および隣接チャンネル音声搬送波周波数ｆａｓ（ｆａｓ＝４０．４０ＭＨｚ）において、それらの信号が減衰されている。この場合、トラップ共振子６が設けられたものは、トラップ共振子６が設けられていないものに比べて、隣接チャンネル映像搬送波周波数ｆａｐおよび隣接チャンネル音声搬送波周波数ｆａｓにおける減衰量を大きくすることができる。
【０００６】
ところが、図６に示すトラップ回路１では、隣接チャンネル映像搬送波周波数ｆａｐおよび隣接チャンネル音声搬送波周波数ｆａｓにおいて、隣接チャンネル映像搬送波周波信号および隣接チャンネル音声搬送波信号を減衰させることができるが、図７中の線（Ｃ）に示すように、映像中間周波数（映像搬送波周波数）ｆｐ  で約１ｄＢの減衰があり、さらに、色副搬送波周波数ｆｃ  で約０．１ｄＢの減衰がある。つまり、図６に示すトラップ回路１では、本来通すべき映像中間周波信号（映像搬送波周波信号）および色副搬送波周波信号も減衰してしまう。そのため、図６に示すトラップ回路１をたとえば複数の共振特性を有する共振子でテレビなどのトラップに適用するには問題があった。
【０００７】
そこで、発明者は、この映像中間周波数（映像搬送波周波数）ｆｐ  および色副搬送波周波数ｆｃ  のレベル変化を補正するために、たとえば図８に示すようなトラップ回路を提案した。図８はこの発明の背景となる従来のトラップ回路の他の例を示す回路図である。この従来例のトラップ回路１は、図６に示すトラップ回路と比べて、特に、入力端子２と映像中間周波数測定回路５との間に、抵抗４と直列にインダクタＬを接続した回路構成となっている。
【０００８】
【発明が解決しようとする課題】
しかしながら、図８に示すトラップ回路１においても、映像中間周波数（映像搬送波周波数）ｆｐ  で０．８ｄ、色副搬送波周波数ｆｃ  で０．５ｄＢの減衰があることがわかった。つまり、図６に示すトラップ回路を改良した図８のトラップ回路においても、本来通すべき映像中間周波信号（映像搬送波周波信号）および色副搬送波周波信号が減衰されるという問題がある。
【０００９】
それゆえに、この発明の主たる目的は、映像搬送波周波数（ｆｐ  ）および色副搬送波周波数（ｆｃ  ）での減衰量を抑え（レベルをあまり変化をさせることなく）、隣接チャンネル映像搬送波周波数（ｆａｐ）および隣接チャンネル音声搬送波周波数（ｆａｓ）での減衰量を十分確保することができる、トラップ回路を提供することである。
【００１０】
【課題を解決するための手段】
請求項１に記載の発明は、映像中間周波数回路に用いられ、１つの共振子で複数の共振特性を有する共振子が設けられたトラップ回路であって、入力端子と映像中間周波数増幅回路との間で、信号源と並列に共振子を接続し、さらに、入力端子と映像中間周波数増幅回路との間で、共振子と並列に第１のインダクタを接続し、さらに、前記共振子と前記映像中間周波数増幅回路の入力端子との間に、第２のインダクタを接続し、さらに抵抗が前記インダクタと直列に接続されたことを特徴とする、トラップ回路である。
【００１４】
【作用】
請求項１に記載の発明では、トラップ回路中、入力端子と映像中間周波数増幅回路との間にインダクタを共振子と並列に、あるいは、共振子と映像中間周波数増幅回路との間にインダクタを共振子と直列に設けることによって、出力端子から見た回路のインピーダンス特性において、見かけ上、隣接チャンネル音声搬送波周波数ｆas側の共振子の共振周波数より低い側にもう１つの並列共振が構成されたようになり、この並列共振によって、トラップ特性の肩の部分の特性が急峻になる。
【００１５】
そのため、映像搬送波周波数（ｆｐ  ）および色副搬送波周波数（ｆｃ  ）での減衰量が少なくなる。つまり、インダクタを設けることにより、共振子の容量と結合してトラップレベルが調整される。しかも、この容量結合による等価インダクタンスのばらつきはそれ程大きくない。
【００１６】
【発明の効果】
この発明によれば、映像搬送波周波数（ｆｐ  ）および色副搬送波周波数（ｆｃ  ）での減衰量を抑え（レベルをあまり変化をさせることなく）、隣接チャンネル映像搬送波周波数（ｆａｐ）および隣接チャンネル音声搬送波周波数（ｆａｓ）での減衰量を十分確保することができる、トラップ回路を得ることができる。
【００１７】
この発明の上述の目的，その他の目的，特徴および利点は、図面を参照して行う以下の実施例の詳細な説明から一層明らかとなろう。
【００１８】
【実施例】
図１はこの発明の一実施例を示す回路図であり、図３は図１に示すトラップ回路をテレビの映像中間周波数に適用した場合の周波数特性（周波数−相対振幅特性）を示すグラフである。この場合、図１に示すトラップ回路は、たとえば映像中間周波数（映像搬送波周波数）ｆｐ  が４５．７５ＭＨｚのアメリカ等のＮＴＳＣ方式のテレビ用に適用され、このトラップ回路には、複数の共振特性を有する１つの共振子がトラップ共振子として用いられている。
【００１９】
このトラップ回路１０は、入力端子１２および出力端子１４を含む。入力端子１２とグラウンドとの間には、信号源１６と抵抗１８とが直列に接続される。
入力端子１２と出力端子１４との間には、映像中間周波数増幅回路２０が接続される。入力端子１２と映像中間周波数増幅回路２０との間には、抵抗２２が映像中間周波数増幅回路２０と直列に接続される。
【００２０】
また、抵抗２２と映像中間周波数増幅回路２０とグラウンドとの間には、共振子として、たとえばＢＧＳ波を利用した圧電共振子からなるトラップ共振子２４が接続される。このトラップ共振子２４は、信号源１６に対して並列に接続される。
【００２１】
さらに、入力端子１２と映像中間周波数増幅回路２０の入力端子との間には、トラップ共振子２４と並列にインダクタ２６が接続される。インダクタ２６は、入力端子１２とトラップ共振子２４との間に、並列に接続される。なお、入力端子１２と映像中間周波数増幅回路２０との間で、かつ、抵抗２２とトラップ共振子２４との間に、インダクタ２６をトラップ共振子２４に並列に接続するようにしてもよい。
【００２２】
出力端子１４およびグラウンド間には、抵抗２８が接続される。出力端子１４とグラウンドとの間には、抵抗２８と並列にボルトメータ３０が接続される。
【００２３】
図１に示すトラップ回路１０では、複数個の共振特性をもつトラップ共振子２４が共振したときにそのインピーダンスが極小となるので、その帯域の信号が減衰し、たとえば図３に示すような周波数特性（周波数−相対振幅特性）が得られる。図３中の線（Ａ）は、図１のトラップ回路１０の周波数特性を示している。また、図３中の線（Ｂ）は、図１のトラップ回路１０において、トラップ共振子２４とインダクタ２６とが設けられていない場合の周波数特性を示している。さらに、図３中の線（Ｃ）および線（Ｄ）は、それぞれ、図３中に示すＸ幅の帯域において、相対振幅Ｙを１０倍に拡大したものを示している。
【００２４】
図１に示すトラップ回路１０では、図３の線（Ａ）に示すように、複数の共振特性を有する１つのトラップ共振子２４によって、隣接チャンネル映像搬送波周波数ｆａｐ（ｆａｐ＝３９．７５ＭＨｚ）および隣接チャンネル音声搬送波周波数ｆａｓ（ｆａｓ＝４７．２５ＭＨｚ）において、それらの信号が減衰されている。この場合、トラップ共振子２４が設けられたものは、トラップ共振子２４が設けられていないものに比べて、隣接チャンネル映像搬送波周波数ｆａｐおよび隣接チャンネル音声搬送波周波数ｆａｓにおける減衰量を大きくすることができる。
【００２５】
この場合、図１に示すトラップ回路１０では、隣接チャンネル映像搬送波周波数ｆａｐおよび隣接チャンネル音声搬送波周波数ｆａｓにおいて、隣接チャンネル映像搬送波周波信号および隣接チャンネル音声搬送波信号を図６および図８に示す従来のトラップ回路１よりも、減衰させることができる。
さらに、図１中の線（Ｃ）および線（Ｄ）に示すように、本来通すべき映像中間周波数（映像搬送波周波数）ｆｐ  および色副搬送波周波数ｆｃ  での減衰が少なく、そのレベル変化をほとんど変化させることがない。そのため、図１に示すトラップ回路１０は、たとえば複数の共振特性を有する共振子が必要な音声多重放送用のテレビなどに適するものとなる。
【００２６】
すなわち、図１に示すトラップ回路１０では、トラップ共振子２４と並列にインダクタ２６が設けられているため、見かけ上、トラップ共振子２４の隣接チャンネル音声搬送波周波数ｆａｓ側の共振周波数より低い側にもう１つ並列共振が構成されたようになり、この並列共振によって、トラップ特性の肩の部分の特性をなめらかにすることができる。
したがって、図１に示すトラップ回路１０では、本来通すべき映像中間周波数（映像搬送波周波数）ｆｐ  および色副搬送波周波数ｆｃ  の減衰量を、図６および図８に示す従来のトラップ回路１よりも、小さくすることができる。
【００２７】
この場合、インダクタ２６と抵抗２２の値を適当に選ぶことにより、トラップ共振子２４の共振周波数（減衰極）より低い側の並列共振の周波数とＱを変えることができるので、トラップ特性の肩の部分の特性を、緩やかにしたり持ち上げたりして、調整することができる。
しかも、このトラップ回路１０では、インダクタ２６によりトラップ共振子２４の容量と結合して、レベルを調整することができるから、容量のばらつきはそれ程大きくならない。また、インダクタ２６をたとえば固定コイルで対応させることができるので、簡単にトラップ回路を構成できるなどメリットも大きい。
【００２８】
図２はこの発明の他の実施例を示す回路図である。
図２に示すトラップ回路１０では、上述の実施例のトラップ回路と比べて、特に、インダクタ２６は、トラップ共振子２４と映像中間周波数増幅回路２０の入力端子との間に接続されている。この場合、トラップ共振子２４と抵抗２２との間で、インダクタ２６がトラップ共振子２４と直列に接続される。
【００２９】
図２に示すトラップ回路１０でも、上述の実施例と同様の効果を有する。すなわち、映像搬送波周波数（ｆｐ  ）および色副搬送波周波数（ｆｃ  ）での減衰量を抑え（レベルをあまり変化をさせることなく）、隣接チャンネル映像搬送波周波数（ｆａｐ）および隣接チャンネル音声搬送波周波数（ｆａｓ）での減衰量を十分確保することができる。なお、図２に示すトラップ回路１０では、挿入損失も２．５ｄＢ改良されている。（図示せず）
【００３０】
図５はこの発明のさらに他の実施例を示す回路図である。図５に示す実施例のトラップ回路は、簡単にいうと、図１に示すトラップ回路と図２に示すトラップ回路とを組み合わせて同時に構成したトラップ回路である。
すなわち、図５に示すトラップ回路１０は、図１および図２に示すトラップ回路と比べて、特に、入力端子１２とグラウンドとの間で、トラップ共振子２４と並列に第１のインダクタ２６ａが接続され、さらに、トラップ共振子２４と抵抗２２との間に、第２のインダクタ２６ｂが接続されている。
【００３１】
なお、図５に示す実施例のトラップ回路１０においても、映像搬送波周波数（ｆｐ  ）および色副搬送波周波数（ｆｃ  ）での減衰量を抑え（レベルをあまり変化をさせることなく）、隣接チャンネル映像搬送波周波数（ｆａｐ）および隣接チャンネル音声搬送波周波数（ｆａｓ）での減衰量を十分確保することができる。
【００３２】
また、図１，図２および図５に示す実施例では、１つの共振子で複数の共振特性をもつ例について記載したが、それらの各実施例において、１つの共振特性しかもたない共振子を複数個並列に接続するようにしてもよい。
【図面の簡単な説明】
【図１】この発明の一実施例を示す回路図である。
【図２】この発明の他の実施例を示す回路図である。
【図３】図１に示すトラップ回路の周波数特性を示すグラフである。
【図４】図２に示すトラップ回路の周波数特性を示すグラフである。
【図５】この発明のさらに他の実施例を示す回路図である。
【図６】この発明の背景となる従来のトラップ回路の一例を示す回路図である。
【図７】図６に示すトラップ回路の周波数特性を示すグラフである。
【図８】この発明の背景となる従来のトラップ回路の他の例を示す回路図である。
【符号の説明】
１０  トラップ回路
１２  入力端子
１４  出力端子
１６  信号源
１８，２２，２８  抵抗
２０  映像中間周波数増幅回路
２４  トラップ共振子
２６  インダクタ
２６ａ  第１のインダクタ
２６ｂ  第２のインダクタ
３０  ボルトメータ
【図１】
0003605882.tif 000002
【図２】
0003605882.tif 000003
【図３】
0003605882.tif 000004
【図４】
0003605882.tif 000005
【図５】
0003605882.tif 000006
【図６】
0003605882.tif 000007
【図７】
0003605882.tif 000008
【図８】
0003605882.tif 000009